【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
携帯電話用の超小型３軸低周波アンテナにおいて、
磁気コア（１０）と、３本の巻き線と、第１軟磁気シート（２１）とを有し、
前記磁気コア（１０）は、軟磁性非電解質導電性材料製であり、周囲に２個の直交する巻線用チャネル（１２）を規定する４個の角部突起（１１）を有し、
前記３本の巻き線は、Ｘ巻線（ＤＸ），Ｙ巻線（ＤＹ），Ｚ巻線（ＤＺ）からなり、前記Ｘ巻線（ＤＸ），Ｙ巻線（ＤＹ），Ｚ巻線（ＤＺ）は、前記磁気コア（１０）を包囲する互いに直交するＸ軸，Ｙ軸，Ｚ軸の周囲に互いに直交して巻回される導電性ワイヤであり、前記Ｘ巻線（ＤＸ）、Ｙ巻線（ＤＹ）は、前記２個の巻線用チャネル（１２）内に配置され、前記Ｚ巻線（ＤＺ）は前記４個の角部突起（１１）の周囲に配置され、電磁界が前記Ｘ巻線（ＤＸ），Ｙ巻線（ＤＹ），Ｚ巻線（ＤＺ）にかかると、電位が各ワイヤ端部に生成され、前記Ｘ巻線（ＤＸ），Ｙ巻線（ＤＹ），Ｚ巻線（ＤＺ）は、それぞれ接続端子（３０）に接続されるワイヤ出口端とワイヤ入口端とを有し、
前記第１軟磁気シート（２１）は、前記Ｚ軸に直交し前記４個の角部突起（１１）の平坦な面に取り付けられ、前記平坦な面は、前記Ｚ軸に直交し、前記第１軟磁気シート（２１）に面する側で前記巻線用チャネル（１２）より突出し、前記Ｘ巻線（ＤＸ）、Ｙ巻線（ＤＹ）は、前記巻線用チャネル（１２）内に巻回され、前記第１軟磁気シート（２１）により部分的にカバーされ、前記Ｘ巻線（ＤＸ）、Ｙ巻線（ＤＹ）は、前記磁気コア（１０）と第１軟磁気シート（２１）との間に閉じ込められ、前記第１軟磁気シート（２１）は、Ｚ巻線（ＤＺ）用に制限エッジ（２０）を提供するようなＺ巻線（ＤＺ）をカバーする大きさである
ことを特徴とする携帯電話用の超小型３軸低周波アンテナ。
【請求項２】
前記４個の角部突起（１１）は、それぞれ、前記Ｚ軸に直交する延長タブ（１３）を有し、前記制限エッジ（２０）と共に、前記Ｚ巻線（ＤＺ）を収納するＺ巻線（ＤＺ）用チャネルを規定する
ことを特徴とする請求項１記載の超小型３軸低周波アンテナ。
【請求項３】
前記延長タブ（１３）と制限エッジ（２０）の少なくとも一方は、前記Ｚ巻線（ＤＺ）の外周を超えて伸びている
ことを特徴とする請求項２記載の超小型３軸低周波アンテナ。
【請求項４】
第２軟磁気シート（２２）を更に有し、
前記第２軟磁気シート（２２）は、前記Ｚ軸に直交し、前記第１軟磁気シート（２１）の反対側で前記４個の角部突起（１１）に取り付けられ、前記磁気コア（１０）は前記第１軟磁気シート（２１）と第２軟磁気シート（２２）との間に閉じ込められ、前記制限エッジ（２０）と共に前記Ｚ巻線（ＤＺ）を収納するＺ巻線（ＤＺ）用チャネルを形成する
ことを特徴とする請求項１記載の超小型３軸低周波アンテナ。
【請求項５】
前記第１軟磁気シート（２１）と第２軟磁気シート（２２）の少なくとも一方は、前記Ｚ巻線（ＤＺ）の外周を超えて伸びる
ことを特徴とする請求項４記載の超小型３軸低周波アンテナ。
【請求項６】
前記アンテナのＺ軸方向の厚さは１．６５ｍｍ以下、前記第１軟磁気シート（２１）の厚さは０．１ｍｍ以下である
ことを特徴とする請求項１−５のいずれか１項記載の超小型３軸低周波アンテナ。
【請求項７】
前記アンテナのＸ−Ｙ面の面積は１９６平方ｍｍ以下である
ことを特徴とする請求項１−６のいずれか１項記載の超小型３軸低周波アンテナ。
【請求項８】
前記磁気コア（１０）は、高密度フェライト・コア、ニッケル・亜鉛合金の高密度フェライト・コア、マグネシウム・亜鉛合金の高密度フェライト・コアのいずれかである
ことを特徴とする請求項１−７のいずれか１項記載の超小型３軸低周波アンテナ。
【請求項９】
前記第１軟磁気シート（２１）は、テープ・キャスト・フェライト・シートである
ことを特徴とする請求項１−８のいずれか１項記載の超小型３軸低周波アンテナ。
【請求項１０】
前記接続端子（３０）は前記延長タブ（１３）に取り付けられ、前記各延長タブ（１３）は、前記Ｚ巻線（ＤＺ）用チャネルの反対面に、前記接続端子（３０）が取り付けられる端末収納端部（１４）を有する
ことを特徴とする請求項２又は３項記載の超小型３軸低周波アンテナ。
【請求項１１】
前記接続端子（３０）は、前記第１軟磁気シート（２１）に取り付けられ、前記各第１軟磁気シート（２１）は、前記Ｚ巻線（ＤＺ）用チャネルの反対面に、前記接続端子（３０）が取り付けられる端末収納端部（１４）を有する
ことを特徴とする請求項４又は５項記載の超小型３軸低周波アンテナ。
【請求項１２】
前記端末収納端部（１４）は全部で８個あり、その内２個の端末収納端部（１４）が各角部突起（１１）に対応し、前記端末収納端部（１４）は２個の直交する直交壁（１５）と１個の離間壁（１６）を有し、前記２個の直交壁（１５）と１個の離間壁（１６）で前記２個の端末収納端部（１４）を形成し、前記２個の端末収納端部（１４）に前記接続端子（３０）の矢印端構造が収まる
ことを特徴とする請求項１０又は１１項記載の超小型３軸低周波アンテナ。
【請求項１３】
前記磁気コア（１０）は、一部が階段形状であり、前記階段形状の一部の高さは０．１ｍｍ以下である
ことを特徴とする請求項１−１２のいずれか１項記載の超小型３軸低周波アンテナ。
【請求項１４】
前記第１軟磁気シート（２１）はその中央部分に開口を有する
ことを特徴とする請求項１−１３のいずれか１項記載の超小型３軸低周波アンテナ。
【請求項１５】
キーレス・システムを動作させる請求項１−１４の内のいずれか１項記載の超小型３軸低周波アンテナを有する携帯電話。
【請求項１６】
前記超小型３軸低周波アンテナの操作を制御するユーザー・インターフェースを提供する携帯電話のアプリケーションソフトを具備する
ことを特徴とする請求項１５記載の携帯電話。
【手続補正２】
【補正対象書類名】明細書
【補正対象項目名】００１０
【補正方法】変更
【補正の内容】
【００１０】
この解決方法においては、コイル即ち巻線は、多層構造の磁気コアの周囲に巻回され、磁気コアの２つのコア部材は、Ｚ巻線（ＤＺ）がＸ巻線（ＤＸ）又はＹ巻線（ＤＹ）とオーバーラップする領域で、それを包囲するＸ巻線（ＤＸ）用とＹ巻線（ＤＹ）用ノッチを必要とする。このノッチは、磁気コアがＺ巻線（ＤＺ）を包囲するのを妨げ、Ｚ巻線（ＤＺ）に面する磁気コアの表面を減らし、Ｚ巻線（ＤＺ）の感度を制限してしまう。
【手続補正３】
【補正対象書類名】明細書
【補正対象項目名】００１３
【補正方法】変更
【補正の内容】
【００１３】
これまで沢山のキーレス・エントリ・システムとそれ用の小型アンテナが、特許文献４−７に示されて開示されており、キーレス・エントリ・システムのキーホブ用の三軸モノリシック・アンテナは、特許文献８−１１に開示されている。
【手続補正４】
【補正対象書類名】明細書
【補正対象項目名】００２５
【補正方法】変更
【補正の内容】
【００２５】
前記４個の角部突起の各々は、チャネル制限エッジを有する。このチャネル制限エッジは、対向する角部突起の他のチャネル制限エッジに離間して面している。この２つの向かいあったチャネル制限エッジは、その間に１つの巻線用チャネルを規定し、この巻線用チャネル上にＸ巻線（ＤＸ），Ｙ巻線（ＤＹ）が巻回される。その結果、自動的に正確な巻回が可能となり、巻回が偶々ほどけるのを阻止できる。
【手続補正５】
【補正対象書類名】明細書
【補正対象項目名】００３５
【補正方法】変更
【補正の内容】
【００３５】
このような限界を打ち破るには、類似の構成の磁気コアと第１軟磁性シートを組み合わせ、Ｚ巻線（ＤＺ）用チャネルの窪みに代わる制限エッジを形成して、磁気コアの厚さを更に減らすことである。本発明の更なる利点は、磁気コアと第１軟磁性シートを接着剤で接着した組み合わせは、曲げに対し良好な挙動を示すことである。その理由は、両方の要素の薄さにより、それぞれ独立した曲げが可能となり相対的なずれが起こり、全体的なストレスを減らすことができるからである。